(57)【要約】【課題】簡便にユーザの嗜好に適した照明装置を提案できる照明空間シミュレーション装置及び照明空間シミュレーション方法を提供する。【解決手段】照明光によって照らされる空間である照明空間の色合いをシミュレーションする照明空間シミュレーション装置１であって、照明光及び照明空間の少なくとも一つを特定する指示を取得する対話部１２と、対話部１２によって取得された指示に従って照明光による照明空間の色合いをシミュレーションするシミュレーション部１３とを備え、対話部１２は、照明光の色温度及び色偏差の指示を取得し、シミュレーション部１３は、対話部１２によって取得された色温度及び色偏差の照明光が照らされた場合の照明空間の色合いをシミュレーションによって算出し、対話部１２は、さらに、シミュレーション部１３によって算出された色合いをもつ照明空間を表示する制御をする。【選択図】図２
2018036803.tif 000002
【特許請求の範囲】
【請求項１】
照明光によって照らされる空間である照明空間の色合いをシミュレーションする照明空間シミュレーション装置であって、
照明光及び照明空間の少なくとも一つを特定する指示を取得する対話部と、
前記対話部によって取得された指示に従って前記照明光による前記照明空間の色合いをシミュレーションするシミュレーション部とを備え、
前記対話部は、前記照明光の色温度及び色偏差の指示を取得し、
前記シミュレーション部は、前記対話部によって取得された前記色温度及び前記色偏差の照明光が照らされた場合の前記照明空間の色合いをシミュレーションによって算出し、
前記対話部は、さらに、前記シミュレーション部によって算出された色合いをもつ前記照明空間を表示する制御をする
照明空間シミュレーション装置。
【請求項２】
さらに、複数の種類の照明空間を特定する照明空間情報を記憶する記憶部を備え、
前記対話部は、前記記憶部に記憶された前記照明空間情報が示す複数の種類の照明空間を表示する制御をし、前記複数の種類の照明空間から一つの照明空間を選択する指示を取得し、
前記シミュレーション部は、前記対話部が取得した指示に従って、前記複数の種類の照明空間から選択された一つの照明空間について前記シミュレーションを行う
請求項１記載の照明空間シミュレーション装置。
【請求項３】
前記対話部は、前記シミュレーション部によって算出された色合いをもつ前記照明空間の表示における一部の上に、選択の対象となる前記複数の種類の照明空間の表示を重ねる重畳表示の制御をし、前記複数の種類の照明空間から一つの照明空間を選択する指示を取得した場合には、選択された前記照明空間について前記シミュレーション部によって得られる色合いを反映した前記重畳表示の制御をする
請求項２記載の照明空間シミュレーション装置。
【請求項４】
前記対話部は、前記照明光の色温度及び色偏差について、２組の指示を取得し、
前記シミュレーション部は、前記対話部によって取得された２組の前記色温度及び前記色偏差の照明光のそれぞれについて、同一の照明空間に対して色合いをシミュレーションによって算出し、
前記対話部は、前記シミュレーション部によって算出された色合いをもつ前記照明空間について、仕切り線を用いて分離される２つの空間の一方を前記２組のうちの一方の前記色温度及び前記色偏差の照明光に対応して得られた色合いで表示し、かつ、前記２つの空間の他方を前記２組のうちの他方の前記色温度及び前記色偏差の照明光に対応して得られた色合いで表示する２分割表示の制御をする
請求項１〜３のいずれか１項に記載の照明空間シミュレーション装置。
【請求項５】
前記対話部は、前記仕切り線の位置を移動させる指示を取得した場合には、取得した指示に従って前記仕切り線の位置を移動させながら、前記２分割表示の制御をする
請求項４記載の照明空間シミュレーション装置。
【請求項６】
前記仕切り線を用いて分離される２つの空間は、前記照明空間を２分割して得られる２つの空間うちの一方及び他方である
請求項４又は５記載の照明空間シミュレーション装置。
【請求項７】
前記対話部は、さらに、ズームに関する指示を取得した場合には、取得した指示に従って前記照明空間をズームして表示する制御をする
請求項１〜６のいずれか１項に記載の照明空間シミュレーション装置。
【請求項８】
前記対話部は、前記照明空間に存在する物品の色の指示を取得し、
前記シミュレーション部は、前記対話部によって取得された前記物品の色の指示を反映して前記シミュレーションを行う
請求項１〜７のいずれか１項に記載の照明空間シミュレーション装置。
【請求項９】
前記対話部は、前記照明光の調光及び調色に関する指示を取得し、
前記シミュレーション部は、前記対話部によって取得された指示が示す前記調光及び前記調色の照明光が照らされた場合の前記照明空間の色合いをシミュレーションによって算出する
請求項１〜８のいずれか１項に記載の照明空間シミュレーション装置。
【請求項１０】
前記対話部は、複数の前記照明光を特定する指示を取得し、
前記シミュレーション部は、前記対話部によって取得された指示が示す複数の前記照明光が照らされた場合の前記照明空間の色合いをシミュレーションによって算出する
請求項１〜９のいずれか１項に記載の照明空間シミュレーション装置。
【請求項１１】
前記複数の照明光には、光源からの光を天井及び壁を含む構造物に当てて得られる反射光による間接照明における照明光、及び、光源の光によって直接、照明空間を照らす主照明における照明光が含まれる
請求項１０記載の照明空間シミュレーション装置。
【請求項１２】
前記対話部は、さらに、前記照明空間における視点の位置を特定する指示を取得し、
前記シミュレーション部は、前記対話部によって取得された指示が示す前記視点の位置から見た場合の前記照明空間の色合いをシミュレーションによって算出する
請求項１〜１１のいずれか１項に記載の照明空間シミュレーション装置。
【請求項１３】
照明光によって照らされる空間である照明空間の色合いをシミュレーションする照明空間シミュレーション方法であって、
照明光及び照明空間の少なくとも一つを特定する指示を取得する対話ステップと、
前記対話ステップで取得された指示に従って前記照明光による前記照明空間の色合いをシミュレーションするシミュレーションステップとを含み、
前記対話ステップでは、前記照明光の色温度及び色偏差の指示を取得し、
前記シミュレーションステップでは、前記対話ステップで取得された前記色温度及び前記色偏差の照明光が照らされた場合の前記照明空間の色合いをシミュレーションによって算出し、
前記対話ステップでは、さらに、前記シミュレーションステップで算出された色合いをもつ前記照明空間を表示する制御をする
照明空間シミュレーション方法。
【請求項１４】
請求項１３記載の照明空間シミュレーション方法に含まれるステップを含むプログラム。
【発明の詳細な説明】
【技術分野】
【０００１】
本開示は、照明空間シミュレーション装置及び照明空間シミュレーション方法に関する。
【背景技術】
【０００２】
従来、インターネットのホームページ上で照明装置の商品情報を紹介する事業が広く行われている。また、住宅の新築時や増改築時にユーザから提供された住宅の間取り情報に基づいて、専門家またはシステムが作成した最適の照明プランをユーザに提案して照明装置の販売に結び付ける事業も行われている。
【０００３】
ここで、照明装置によって照明光が照射される空間において、同じ間取り、同じ照明装置であっても、ユーザの見る位置、見る方向によって印象が異なる場合がある。また、天井材、床材、内装材の選択又は家具の配置によって照明効果が異なる場合がある。そこで、三次元仮想空間上において照明シミュレーションを行う方法がある（例えば、特許文献１参照）。
【０００４】
特許文献１に記載の照明シミュレーションの方法は、インターネット端末からの操作により平面図として入力された間取り情報を三次元画像に変換して当該端末の画面に表示する。また、当該照明シミュレーションの方法は、間取り情報に応じて選択された照明装置を三次元画像に合成表示すると共に、この照明装置による照明効果をシミュレーションする。
【０００５】
これにより、当該照明シミュレーションの方法によってインターネット端末からの操作により平面図として入力された間取り情報に基づいて照明プランを作成し、ユーザは、当該照明プランによる照明効果を三次元仮想空間上で視覚的に確認できる。
【先行技術文献】
【特許文献】
【０００６】
【特許文献１】特開２００２−３３４１１９号公報
【発明の概要】
【発明が解決しようとする課題】
【０００７】
ところで、近年は、照明装置の技術が進歩し、照明光の色が異なる多くの種類の照明装置が提案されている。しかしながら、ユーザは、上述した照明装置の種類が多量なため、ユーザの嗜好に適した照明装置を選択することが困難になっている。
【０００８】
そこで、本開示は、簡便にユーザの嗜好に適した照明装置を提案できる照明空間シミュレーション装置及び照明空間シミュレーション方法を提供する。
【課題を解決するための手段】
【０００９】
本開示の一態様に係る照明空間シミュレーション装置は、照明光によって照らされる空間である照明空間の色合いをシミュレーションする照明空間シミュレーション装置であって、照明光及び照明空間の少なくとも一つを特定する指示を取得する対話部と、前記対話部によって取得された指示に従って前記照明光による前記照明空間の色合いをシミュレーションするシミュレーション部とを備え、前記対話部は、前記照明光の色温度及び色偏差の指示を取得し、前記シミュレーション部は、前記対話部によって取得された前記色温度及び前記色偏差の照明光が照らされた場合の前記照明空間の色合いをシミュレーションによって算出し、前記対話部は、さらに、前記シミュレーション部によって算出された色合いをもつ前記照明空間を表示する制御をする。
【００１０】
また、本開示の一態様に係る照明空間シミュレーション方法は、照明光によって照らされる空間である照明空間の色合いをシミュレーションする照明空間シミュレーション方法であって、照明光及び照明空間の少なくとも一つを特定する指示を取得する対話ステップと、前記対話ステップで取得された指示に従って前記照明光による前記照明空間の色合いをシミュレーションするシミュレーションステップとを含み、前記対話ステップでは、前記照明光の色温度及び色偏差の指示を取得し、前記シミュレーションステップでは、前記対話ステップで取得された前記色温度及び前記色偏差の照明光が照らされた場合の前記照明空間の色合いをシミュレーションによって算出し、前記対話ステップでは、さらに、前記シミュレーションステップで算出された色合いをもつ前記照明空間を表示する制御をする。
【００１１】
なお、本開示は、照明空間シミュレーション方法に含まれるステップをコンピュータに実行させるプログラムとして実現されてもよい。また、本開示は、そのプログラムを記録したコンピュータによって読み取り可能なＣＤ−ＲＯＭなどの記録媒体として実現されてもよい。また、本開示は、そのプログラムを示す情報、データ又は信号として実現されてもよい。そして、それらプログラム、情報、データ及び信号は、インターネット等の通信ネットワークを介して配信されてもよい。
【発明の効果】
【００１２】
本開示の照明空間シミュレーション装置及び照明空間シミュレーション方法によれば、簡便にユーザの嗜好に適した照明装置を提案できる。
【図面の簡単な説明】
【００１３】
【図１】図１は、実施の形態に係る照明空間シミュレーション装置を含むシステムの構成を示す図である。
【図２】図２は、実施の形態に係る照明空間シミュレーション装置の機能構成を示すブロック図である。
【図３】図３は、実施の形態に係る照明空間シミュレーション装置によるシミュレーションの基本的な動作の手順を示すフローチャートである。
【図４】図４は、実施の形態に係る照明空間シミュレーション装置が生成する、ユーザに照明空間を選択させる画像の一具体例を示す図である。
【図５】図５は、実施の形態に係る照明空間シミュレーション装置が生成する照明空間画像の一具体例を示す図である。
【図６】図６は、実施の形態に係る照明空間シミュレーション装置が生成する照明空間画像に重畳表示された照明空間選択画像の一具体例を示す図である。
【図７】図７は、実施の形態に係る照明空間シミュレーション装置が生成する内装材選択画像の一具体例を示す図である。
【図８】図８は、実施の形態に係る照明空間シミュレーション装置が生成する光色選択画像の一具体例を示す図である。
【図９】図９は、実施の形態に係る照明空間シミュレーション装置が生成する２分割表示された照明空間画像の一具体例を示す図である。
【図１０】図１０は、実施の形態に係る照明空間シミュレーション装置が生成する２つの照明空間画像の比較表示の一具体例を示す図である。
【図１１】図１１は、実施の形態に係る照明空間シミュレーション装置が生成する画像保存選択画像の一具体例を示す図である。
【図１２】図１２は、実施の形態に係る照明空間シミュレーション装置が生成するズーム画像の一具体例を示す図である。
【図１３】図１３は、実施の形態に係る照明空間シミュレーション装置が生成する視点変更画像の一具体例を示す図である。
【発明を実施するための形態】
【００１４】
以下、実施の形態に係る照明空間シミュレーション装置及び照明空間シミュレーション方法について、図面を参照しながら説明する。なお、以下で説明する実施の形態は、いずれも包括的または具体的な例を示すものである。以下の実施の形態で示される数値、形状、構成要素、構成要素の配置位置及び接続形態、ステップ、ステップの順序等は、一例であり、本開示を限定する主旨ではない。また、以下の実施の形態における構成要素のうち、最上位概念を示す独立請求項に記載されていない構成要素については、任意の構成要素として説明される。
【００１５】
なお、各図は模式図であり、必ずしも厳密に図示されたものではない。また、各図において、実質的に同一の構成に対しては同一の符号を付しており、重複する説明は省略または簡略化される場合がある。
【００１６】
（実施の形態）
図１は、実施の形態に係る照明空間シミュレーション装置を含むシステムの構成を示す図である。図１に示すように、照明空間シミュレーション装置１は、インターネット４による通信が可能なＬＡＮ２とルータ３とを経てインターネット４を介して端末装置５及び６に接続される。
【００１７】
照明空間シミュレーション装置１は、本開示に係る照明空間シミュレーション装置の一例であり、照明空間となる二次元又は三次元の画像データの色情報を変更するシミュレーションを行うパーソナルコンピュータである。ここで、照明空間とは、照明装置が発する照明光によって照らされる空間のことである。照明空間シミュレーション装置１は、照明光の色によって照明空間に存在する壁や構造物などの色合いの見え方の変化をシミュレーションする。
【００１８】
また、照明空間シミュレーション装置１は、端末装置５及び６を利用するユーザから照明空間又は色情報等のシミュレーション条件の指示を取得し、当該指示に従って照明空間のシミュレーションを行うＷｅｂサーバである。ここで、色情報とは、所定の色温度及び所定の色偏差を示す情報である。つまり、照明空間シミュレーション装置１は、所定の色温度及び所定の色偏差を有する光色の照明光を発する照明装置によって、照明空間全体が照らされたときの当該照明空間の色合いをシミュレーションする点に特徴を有する。
【００１９】
ルータ３は、ＬＡＮ２とインターネット４とを相互接続するゲートウェイとして機能する。
【００２０】
端末装置５及び６は、照明空間シミュレーション装置１に各種指示を与える、或いはデータの送受信を行うＷｅｂクライアントとしてのコンピュータである。本実施の形態では、端末装置５及び６は、それぞれ、照明空間シミュレーション装置１を利用するユーザが使用するパーソナルコンピュータである。ユーザは、端末装置５又は６を操作して、インターネット４を介して照明空間シミュレーション装置１を利用する。
【００２１】
次に、照明空間シミュレーション装置１の具体的な構成について説明する。
【００２２】
図２は、実施の形態に係る照明空間シミュレーション装置１の特徴的な機能構成を示すブロック図である。図２に示すように、照明空間シミュレーション装置１は、入力部１０と、記憶部１４と、表示部１６と、通信部１７と、制御部１１と、を備える。
【００２３】
入力部１０は、ユーザの指示を取得するデバイスである。つまり、照明空間シミュレーション装置１は、インターネット４を介さずに入力部１０から直接シミュレーション条件等の指示を取得してもよい。入力部１０は、ユーザからの指示を取得できればよく、限定されないが、例えば、キーボード又はタッチパネルである。
【００２４】
記憶部１４は、制御部１１（具体的には、後述するシミュレーション部１３）がシミュレーションを行う際に必要とする照明空間情報１５等を記憶するメモリである。記憶部１４は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等で構成される。
【００２５】
照明空間情報１５は、シミュレーション部１３がシミュレーションを行う際に利用するデータである。照明空間情報１５は、例えば、カフェ又はホテル等の空間を示す照明空間を特定するデータである。照明空間を特定するデータには、二次元で表示される画像データだけではなく、三次元空間を示すデータも含まれる。照明空間を特定するデータは、例えば、ＣＧ（Ｃｏｍｐｕｔｅｒ  Ｇｒａｐｈｉｃｓ）で処理されたデータである。
【００２６】
表示部１６は、制御部１１（具体的には、後述する対話部１２）から受け取った情報等を画像として映し出すディスプレイである。
【００２７】
通信部１７は、照明空間シミュレーション装置１とインターネット４に接続されるＬＡＮ２（図１参照）とを接続させる通信インターフェースである。
【００２８】
制御部１１は、ユーザによって指示された条件に従ってシミュレーションを行い、当該シミュレーション結果に応じた画像を生成して出力する制御を行う処理部である。制御部１１は、例えば、ＣＰＵ（Ｃｅｎｔｒａｌ  Ｐｒｏｃｅｓｓｉｎｇ  Ｕｎｉｔ）と記憶部１４に格納された制御プログラムとによって実現される。制御部１１は、機能としては対話部１２とシミュレーション部１３とで構成される。
【００２９】
対話部１２は、ＧＵＩ（Ｇｒａｐｈｉｃａｌ  Ｕｓｅｒ  Ｉｎｔｅｒｆａｃｅ）であり、照明光及び照明空間の少なくとも一つを特定する指示をユーザから取得する処理部である。また、対話部１２は、ユーザから取得した指示がシミュレーションを行う指示であった場合に、シミュレーション部１３に当該指示に応じたシミュレーションを行わせる。また、対話部１２は、シミュレーション部１３が行ったシミュレーション結果を取得し、当該シミュレーション結果に応じた画像を生成して表示させる制御をする。具体的には、対話部１２は、当該画像をユーザが使用する端末装置５、６、又は照明空間シミュレーション装置１の表示部１６に表示させる制御をする。
【００３０】
シミュレーション部１３は、対話部１２が取得したユーザからのシミュレーション条件に従ってシミュレーションを行う処理部である。
【００３１】
なお、対話部１２及びシミュレーション部１３は、例えば、ＣＰＵと記憶部１４に格納された制御プログラムとによって実現される。対話部１２及びシミュレーション部１３は、一体として構成されてもよいし、別体として構成されてもよく、限定されない。
【００３２】
また、ユーザは端末装置５、６又は照明空間シミュレーション装置１を操作することで、ユーザが望む照明空間におけるシミュレーション結果を画像で確認することができるが、ユーザが操作する装置は、上述したように、限定されない。以降の説明においては、ユーザは、端末装置５を操作して、インターネット４を介して照明空間シミュレーション装置１を利用するものとして説明する。つまり、対話部１２は、ユーザが操作する端末装置５からインターネット４を介してユーザからの指示を取得し、当該指示に応じた画像を生成して、端末装置５に表示させる制御を行うものとする。
【００３３】
次に、対話部１２及びシミュレーション部１３の詳細について説明する。
【００３４】
対話部１２は、照明光及び照明空間の少なくとも一つを特定する指示をユーザから取得する。照明光を特定する指示とは、照明光の色温度及び色偏差を特定する指示である。
【００３５】
ここで、色温度とは、表現しようとする光色を、所定の温度の黒体（外部から入射する光等を、あらゆる波長にわたって完全に吸収し、放出する物体）から放射される光色と対応させた数値である。色温度が高いほど光色は青みを帯び、色温度が低いほど光色は赤みを帯びる。色温度の単位は、Ｋ（ケルビン）で表現される。また、色偏差（Ｄｕｖ）とは、ＣＩＥ（国際照明委員会）が定める色度図における黒体軌跡上の色温度を示す色度からのずれを表したものである。Ｄｕｖがプラス側にずれると、色度図では黒体軌跡の下側にずれ、光色は紫みを帯びる。また、Ｄｕｖがマイナス側にずれると、色度図では黒体軌跡の上側にずれ、光色は緑みを帯びる。つまり、同じ色温度（相関色温度）でも、色偏差が異なると光色は異なる。言い換えると、色温度及び色偏差を用いて照明光の色を表現することで、黒体軌跡上にはない色（色度）を表現することができる。シミュレーション部１３は、ユーザが指示した色温度及び色偏差の光色を発する照明光で照らされた照明空間のシミュレーションが可能である。こうすることで、ユーザは、所望の色の照明光が照らされた照明空間の色合いを確認できる。
【００３６】
また、照明光を特定する指示には、照明光の調光及び調色に関する指示も含まれてもよい。例えば、対話部１２は、ユーザから照明光の明るさの指示を取得する。シミュレーション部１３は、当該指示に応じた照明空間全体の明るさをシミュレーションする。
【００３７】
また、照明光を特定する指示には、複数の照明光を特定する指示も含まれてもよい。例えば、照明空間に複数の照明装置が設置される場合に、照明装置ごとに当該照明装置が発する照明光の色温度及び色偏差の指示をユーザから取得する。
【００３８】
また、複数の照明光には、光源（照明装置）からの光を天井及び壁を含む構造物に当てて得られる反射光による間接照明における照明光、及び、光源の光によって直接照明空間を照らす主照明における照明光が含まれる。つまり、シミュレーション部１３は、照明空間の天井及び壁等の光反射率等の特性を変えてシミュレーションを行う。さらには、シミュレーション部１３は、照明空間内に配置された間接照明又は主照明を発する照明装置ごとに照明光の色温度及び色偏差（調色）、照明光の光強度（調光）、照明光が出射さえる方向（配光）等の指示をユーザから取得してシミュレーションを行う。
【００３９】
また、対話部１２は、シミュレーション部１３によって算出された色合いをもつ照明空間を表示する制御をする。具体的には、対話部１２はユーザが利用する端末装置５にシミュレーション部１３によって算出された色合いをもつ照明空間を表示させる制御をする。
【００４０】
また、対話部１２は、シミュレーション部１３によって算出された色合いをもつ照明空間の表示における一部の上に、選択の対象となる複数の種類の照明空間の表示を重ねる重畳表示の制御をする。また、対話部１２は、複数の種類の照明空間から一つの照明空間を選択する指示をユーザから取得した場合には、選択された照明空間についてシミュレーション部１３によって得られる色合いを反映した重畳表示の制御をする。
【００４１】
また、対話部１２は、照明光の色温度及び色偏差について、２組の指示をユーザから取得した場合に、シミュレーション部１３によって算出された色合いをもつ照明空間について、仕切り線を用いて分離される２つの空間を表示する２分割表示の制御をする。具体的には、上記２つの空間について、一方を上記２組のうちの一方の色温度及び色偏差の照明光に対応して得られた色合いで表示し、かつ、他方を２組のうちの他方の色温度及び色偏差の照明光に対応して得られた色合いで表示する２分割表示の制御をする。また、対話部１２は、上記仕切り線の位置を移動させる指示をユーザから取得した場合には、取得した指示に従って当該仕切り線の位置を移動させながら、２分割表示の制御をする。
【００４２】
また、対話部１２は、さらに、ズームに関する指示をユーザから取得した場合には、取得した指示に従って照明空間をズームして表示する制御をする。例えば、ユーザは、端末装置５に表示された照明空間における所定の範囲を指示する。対話部１２は、ユーザから上記所定の範囲を取得し、照明空間が表示されている画像に当該範囲の拡大画像を重畳表示させる制御する。
【００４３】
また、対話部１２は、照明空間に存在する物品の色の指示をユーザから取得する。例えば、照明空間に当該物品の一例である自動車が表示されている場合に、自動車の色をユーザは指示する。対話部１２は、当該指示を取得する。シミュレーション部１３は、当該指示に応じて上記自動車の色を変更し、その後に当該自動車に照明光が照射された場合の色合いをシミュレーションする。
【００４４】
また、対話部１２は、照明空間における視点の位置を特定する指示をユーザから取得する。上述したように、照明空間を特定するデータは、二次元で表示される画像データだけではなく、三次元空間を示すデータでもよい。例えば、対話部１２は、端末装置５に三次元の照明空間を表示させる制御をする。ユーザは、端末装置５で当該照明空間を確認し、当該照明空間における位置（視点）及び方向（視野範囲）を指示する。対話部１２は、当該位置及び方向の指示を取得し、当該位置から当該方向を見た場合における照明空間の画像を生成する。
【００４５】
シミュレーション部１３は、対話部１２で取得したユーザからの指示に従って、照明空間の色合いのシミュレーションを行う。具体的には、シミュレーション部１３は、対話部１２によって取得されたユーザが指示する色温度及び色偏差の照明光で、ユーザが指示する照明空間全体が一様に照らされた場合の照明空間の色合いをシミュレーションによって算出する。
【００４６】
なお、ユーザから取得する指示は、照明光及び照明空間の少なくとも一つが特定されればよい。例えば、対話部１２が取得したユーザからの指示が、照明光の色温度及び色偏差が特定し、且つ、照明空間が特定しなかったとする。この場合、シミュレーション部１３は、記憶部１４に記憶された照明空間情報１５の一例である照明空間を示す複数の情報の中から、一つを任意に選択して当該指示の照明光の色温度及び色偏差でシミュレーションを行うこととしてもよい。シミュレーション部１３が任意に照明空間を選択する方法は、特に限定されないが、記憶部１４に予め定められた選択方法に従えばよい。例えば、ユーザが指示した色温度及び色偏差に応じて照明空間が選択されてもよい。また、例えば、対話部１２が取得したユーザからの指示が、照明空間を特定し、且つ、照明光の色温度及び色偏差を特定しなかったとする。この場合、対話部１２は、記憶部１４に予め定められた色温度及び色偏差を取得する。シミュレーション部１３は、対話部１２が取得した色温度及び色偏差の照明光を用いて、ユーザが指示した照明空間でシミュレーションを行うこととしてもよい。
【００４７】
ここで、シミュレーション部１３が行うシミュレーションの方法の一具体例について説明する。まず、二次元又は三次元の、１画素ごとの色が特定された照明空間であるＣＧを予め作成して記憶部１４に記憶させておく。次に、ユーザの指示に従って当該照明空間に所定の色温度及び所定の色偏差の光色を有する照明光が照らされた場合の色合いの照明空間を作成する。
【００４８】
例えば、対話部１２が、ユーザから色温度が４０００Ｋであり、且つ、色偏差がＤｕｖ＋３である光色を示す指示を取得したとする。シミュレーション部１３は、色温度が４０００Ｋであり、且つ、色偏差がＤｕｖ＋３である光色の照明光が照明空間全体に一様に照射されたとして、当該照明空間の色合いを算出する。具体的には、シミュレーション部１３は、照明空間の１画素ごとの色を、当該照明光の光色に応じて変更する。こうすることで、シミュレーション部１３は、色温度が４０００Ｋであり、且つ、色偏差がＤｕｖ＋３である照明光が照明空間全体に一様に照射された場合の照明空間の色合いを決定する。
【００４９】
なお、三次元の照明空間を示すＣＧにおいては、壁又は天井などの構造物及び自動車等の物品の外表面のみが照明光が照らされる部分として色度が設定されていればよい。
【００５０】
また、シミュレーション部１３は、所定の光色の照明光が照明空間全体に一様に照射されたとして、当該照明空間の色合いを算出するとしたが、これに限らない。例えば、照明空間に照明光を発する照明装置が配置されているとする。その場合に、当該照明装置が発する照明光の光強度（光量）及び配光を予め設定しておく。また、壁又は天井などの構造物の光反射率も予め設定しておく。対話部１２がユーザから照明光の色温度及び色偏差の指示を受け取った場合に、シミュレーション部１３は、当該照明装置が発する照明光の光色を指示された色温度及び色偏差でシミュレーションする。こうすることで、当該照明装置が発する照明光が照らされた照明空間全体の色合いをユーザは確認できる。
【００５１】
また、シミュレーション部１３は、対話部１２が取得した指示に従って、複数の種類の照明空間から選択された一つの照明空間についてシミュレーションを行う。例えば、照明空間は、記憶部１４に記憶された照明空間情報１５でもよいし、ユーザから取得した照明空間でもよい。
【００５２】
また、シミュレーション部１３は、上述したように、光源からの光を天井及び壁を含む構造物に当てて得られる反射光による間接照明における照明光、及び、光源の光によって直接照明空間を照らす主照明における照明光によるシミュレーションを行う。つまり、シミュレーション部１３は、照明空間の天井及び壁等に予め設定された光反射率等を反映してシミュレーションを行う。さらには、対話部１２が間接照明又は主照明を発する照明装置ごとに照明光の色温度及び色偏差の指示をユーザから取得した場合には、シミュレーション部１３は、照明装置ごとに当該指示に応じた条件でシミュレーションを行う。
【００５３】
次に、対話部１２及びシミュレーション部１３の動作の基本的な流れについて説明する。
【００５４】
図３は、実施の形態に係る照明空間シミュレーション装置１による照明空間シミュレーションの基本的な動作の手順を示すフローチャートである。
【００５５】
まず、対話部１２は、ユーザから照明光及び照明空間の少なくとも一つを特定する指示を取得するための画像を生成し、当該画像を表示させる制御をする（Ｓ１０）。例えば、対話部１２は、ユーザに照明空間を選択させるために、照明空間を示す複数の画像を生成し、ユーザが利用する端末装置５に当該複数の画像を表示させる制御をする。また、対話部１２は、照明空間の色合いを示す色温度及び色偏差をユーザに指示させるための画像を生成し、端末装置５に表示させる。
【００５６】
次に、対話部１２はユーザからの指示を取得する（Ｓ１１）。例えば、ステップＳ１０において生成された照明空間を示す複数の画像から、ユーザは照明空間を示す画像を１つ選択する。また、ユーザは、ステップＳ１０において生成された照明空間の色合いを示す色温度及び色偏差をユーザに指示させるための画像から、色温度及び色偏差を１組選択する。対話部１２は、ユーザに選択された照明空間並びに色温度及び色偏差の指示を取得する。
【００５７】
次に、シミュレーション部１３は、対話部１２にてシミュレーションを行う指示をユーザから取得した場合（Ｓ１２において「シミュレーション」）、当該指示に従ってシミュレーションを行う（Ｓ１３）。例えば、シミュレーション部１３は、ユーザが選択した照明空間に、ユーザが選択した色温度及び色偏差を有する照明光が照射された場合の照明空間の色合いのシミュレーションを行う。対話部１２は、シミュレーション部１３が行ったシミュレーションの結果を示す画像（照明空間画像）を生成し、当該画像を表示させる制御をする。具体的には、対話部１２は、当該画像をユーザが操作する端末装置５に表示させる制御をする（Ｓ１０）。
【００５８】
また、対話部１２で取得したユーザからの指示がシミュレーションを行う必要がある指示ではなかった場合（Ｓ１２において「その他」）、対話部１２は当該指示応じた処理を実行する（Ｓ１４）。例えば、対話部１２がズームに関する指示をユーザから取得した場合には、取得した指示に従って照明空間をズームして表示する制御をする。具体的には、対話部１２は、ユーザから取得した指示に含まれるズームさせる範囲の指示に従って当該範囲を拡大した画像を生成して、端末装置５に表示させる制御をする。
【００５９】
上述したように、対話部１２がユーザからの指示を取得する（Ｓ１１）。次に、対話部１２が当該指示の指示内容を判断する（Ｓ１２）。次に、対話部１２又はシミュレーション部１３は判断された指示内容に応じた処理を行う（Ｓ１３又はＳ１４）。次に、対話部１２は、ステップＳ１３又はステップＳ１４で行われた処理に応じた画像を生成して、表示させる制御をする（Ｓ１０）。このように、対話部１２及びシミュレーション部１３は、上述したステップＳ１０〜ステップＳ１４の動作を繰り返す。照明空間シミュレーション装置１の利用を終了する指示をユーザから取得した場合（Ｓ１２において「終了」）、対話部１２は動作を終了する。
【００６０】
次に、図４〜図１３を用いて対話部１２がユーザの操作する端末装置５に表示させる照明空間画像の一具体例について説明する。対話部１２は、上述したように、ユーザからの指示に応じた画像を生成し、当該画像を表示させる制御をする。
【００６１】
図４は、実施の形態に係る照明空間シミュレーション装置１が生成する、ユーザに照明空間を選択させる画像の一具体例を示す図である。照明空間シミュレーション装置１は、ユーザから照明空間シミュレーション装置１を利用する指示を取得した場合に、まず図４に示す照明空間選択画像２１１を生成して、照明空間選択画像２１１を表示させる制御をする。
【００６２】
図４に示すように、照明空間選択画像２１１には、照明空間を示す複数の画像（照明空間２１２〜２１６）が含まれる。対話部１２は、記憶部１４から記憶部１４に記憶された照明空間情報１５の一例である照明空間２１２〜２１６を示すデータを取得し、照明空間２１２〜２１６を含む照明空間選択画像２１１を生成する。なお、照明空間選択画像２１１には、色温度及び色偏差をユーザに選択させるための画像が表示されていないが、対話部１２は、色温度及び色偏差をユーザに選択させるための画像を生成して表示させる制御をしてもよい。図４は、対話部１２が予め定められた色温度及び色偏差を有する照明光によって照明空間２１２〜２１６全体が一様に照射された場合の照明空間２１２〜２１６を示す画像である。ユーザは、端末装置５に表示された照明空間選択画像２１１が含む照明空間２１２〜２１６から１つの照明空間を選択する。対話部１２は当該選択をユーザからの指示として取得する。
【００６３】
図５は、実施の形態に係る照明空間シミュレーション装置１が生成する照明空間画像の一具体例を示す図である。具体的には、図５は、図４においてユーザが照明空間２１２を選択した場合に、対話部１２が生成する画像である。
【００６４】
シミュレーション部１３は、図４に示す照明空間２１２〜２１６からユーザが指示した照明空間において、予め定められた色温度及び色偏差を有する照明光によって照射された場合の照明空間の色合いのシミュレーションを行う。対話部１２は、当該シミュレーションの結果を示す照明空間画像１００を含む表示画像４００を生成して端末装置５に表示させる制御をする。
【００６５】
図５に示すように、対話部１２が生成した画像である表示画像４００は、照明空間画像１００と、シミュレーション条件選択部２００とから構成される。
【００６６】
照明空間画像１００は、ユーザが選択した照明空間に、所定の色温度及び所定の色偏差を有する照明光が照らされた場合の照明空間の色合いを示す画像である。対話部１２がユーザから所定の色温度及び所定の色偏差の指示を取得している場合には、所定の色温度及び所定の色偏差は、当該指示の色温度及び色偏差である。対話部１２がユーザから所定の色温度及び所定の色偏差の指示を取得していない場合には、所定の色温度及び所定の色偏差は予め定められた色温度及び色偏差である。本実施の形態においては、一例として、ユーザが照明空間２１２を選択した場合に、対話部１２は、色温度が４０００Ｋであり、且つ、色偏差がＤｕｖ＋３である照明光によって照らされた照明空間２１２が照明空間画像１００として生成する。
【００６７】
なお、照明空間シミュレーション装置１は、所定の色温度及び所定の色偏差を有する照明光が照明空間に照射された場合の当該照明空間の色合いを示すデータを照明空間情報１５として予め記憶部１４に保持していてもよい。その場合、シミュレーション部１３は、ユーザからの指示に応じて記憶部１４から当該指示に応じたデータ（照明空間情報１５）を取得してもよい。その場合、対話部１２は、当該データ（照明空間情報１５）に応じた画像（照明空間画像１００）を生成し、端末装置５に当該画像を表示させる制御をすればよい。
【００６８】
シミュレーション条件選択部２００は、シミュレーション部１３が行うシミュレーションの条件をユーザが変更したい場合に選択する画像である。シミュレーション条件選択部２００は、照明空間選択部２１０と、内装材選択部２２０と、光色選択部２３０と、表示モード選択部２４０と、比較画像選択部２５０と、画像保存選択部２６０と、照明サンプル発注選択部２７０とで構成される。
【００６９】
照明空間選択部２１０は、ユーザが照明空間を変更したい場合に選択する画像である。
【００７０】
内装材選択部２２０は、照明空間に表示された空間の壁Ｗ又は天井Ｃ等の構造物３２０の質感をユーザが変更したい場合に選択する画像である。ここで、質感とは、壁Ｗ又は天井Ｃ等を構成する材料の形状、光吸収率又は光反射率等の特性のことである。例えば、構造物３２０の材料がコンクリートと木材とでは、照明光を照射した際に当該照明光の光反射率が異なる。そのため、構造物３２０の質感を変更することで、照明空間全体に照明光を照射した場合に、照明空間全体の色合いは変化する。また、構造物３２０の質感だけではなく、物品Ａの色合いを変化できてもよい。
【００７１】
光色選択部２３０は、照明空間に照射される照明光の色温度及び色偏差をユーザが変更したい場合に選択する画像である。また、光色選択部２３０は、間接照明３１０及び主照明３００の光色を変更した照明空間のシミュレーションを行いたい場合にユーザが選択する画像である。
【００７２】
表示モード選択部２４０は、照明空間画像１００の表示方法をユーザが変更したい場合に選択する画像である。例えば、図５に示す照明空間画像１００の右半分と左半分とで照射される照明光の色温度及び色偏差を変更したい場合に、ユーザは表示モード選択部２４０を選択する。
【００７３】
比較画像選択部２５０は、ユーザが表示画像４００にシミュレーション結果を示す照明空間画像１００を複数表示させたい場合に選択する画像である。例えば、ユーザが照明光の色温度及び色偏差の条件について、異なる２つの照明光の条件で同一の照明空間に照明光が照射された場合におけるシミュレーション結果を同時に表示画像４００に表示させたい場合に、ユーザは表示モード選択部２４０を選択する。
【００７４】
画像保存選択部２６０は、シミュレーション部１３が行ったシミュレーションの条件をユーザが保存したい場合に選択する画像である。
【００７５】
照明サンプル発注選択部２７０は、ユーザが指示した色温度及び色偏差の光色を有する照明光を発する照明装置を注文したい場合に選択する画像である。
【００７６】
なお、照明空間選択部２１０、内装材選択部２２０、光色選択部２３０、表示モード選択部２４０及び比較画像選択部２５０には、現在ユーザが選択しているシミュレーション条件が表示される。これにより、ユーザは、現在選択しているシミュレーション条件を簡便に確認できる。
【００７７】
次に、ユーザが図５に示すシミュレーション条件選択部２００に表示された各選択部を選択した場合に端末装置５に表示される画像の一具体例について説明する。つまり、図６〜図１３は、対話部１２がユーザからの指示に応じて生成する画像の具体例である。
【００７８】
図６は、実施の形態に係る照明空間シミュレーション装置１が生成する照明空間画像に重畳表示された照明空間選択画像の一具体例を示す図である。具体的には、図６は、ユーザが照明空間選択部２１０を選択した場合に対話部１２が生成する画像である。
【００７９】
図６に示すように、ユーザが照明空間選択部２１０を選択した場合には、表示画像４０１には、照明空間選択画像２１１が照明空間画像１００上に重畳表示される。例えば、ユーザが照明空間２１２を選択した場合、端末装置５には照明空間画像１００として照明空間２１２が表示される。また、例えばユーザが照明空間２１３を選択した場合、端末装置５には照明空間画像１００として照明空間２１３が表示される。これにより、ユーザは、シミュレーションの結果を示す照明空間画像１００の一部を確認しながら、シミュレーションの条件を変更できる。
【００８０】
図７は、実施の形態に係る照明空間シミュレーション装置１が生成する内装材選択画像の一具体例を示す図である。具体的には、図７は、ユーザが内装材選択部２２０を選択した場合に対話部１２が生成する画像である。
【００８１】
図７に示すように、表示画像４０２には、内装材選択画像２２１が照明空間画像１００上に重畳表示される。内装材選択画像２２１には、複数の内装材２２２〜２２５を示す画像が含まれる。例えば、ユーザが内装材２２２を選択した場合、照明空間画像１００の壁Ｗ又は天井Ｃ等の構造物３２０の質感が内装材２２２に変更されて照明空間画像１００として表示される。これにより、ユーザは、所望の条件に近い照明空間におけるシミュレーションの結果を確認できる。
【００８２】
なお、ユーザの選択によって変更させる内装材は、照明空間画像１００に表示される全ての構造物に対する指示でもよいし、一部の構造物に対する指示でもよく、限定されない。例えば、ユーザは天井Ｃを指示して、天井Ｃの内装材のみを変更した照明空間画像１００が端末装置５に表示されてもよい。
【００８３】
また、内装材選択画像２２１として選択される構造物３２０には、物品Ａが含まれてもよい。例えば、図７においては物品Ａの一例である自動車の表面の質感が変更できてもよい。また、内装材選択画像２２１には、物品Ａの色を変更するための画像が含まれてもよい。例えば、図７において、ユーザは物品Ａの一例である自動車を選択する。次に、対話部１２は、当該自動車の色をユーザに選択させる画像を生成して、端末装置５に表示させる制御を行う（不図示）。ユーザは、端末装置５に表示された当該画像から色を選択する。シミュレーション部１３は、当該ユーザに選択された色を自動車に反映して照明空間のシミュレーションを行う。対話部１２は、当該シミュレーションの結果に応じた照明空間画像を生成して、端末装置５に表示させる制御をする。これにより、ユーザは、所望の条件に近い照明空間におけるシミュレーションの結果を確認できる。
【００８４】
図８は、実施の形態に係る照明空間シミュレーション装置１が生成する光色選択画像の一具体例を示す図である。具体的には、図８は、ユーザが光色選択部２３０を選択した場合に対話部１２が生成する画像である。
【００８５】
図８に示すように、表示画像４０３には光色選択画像２３１が照明空間画像１００上に重畳表示される。光色選択画像２３１には、一例として、色温度が７条件（２０００Ｋ〜４０００Ｋ）且つ色偏差が５条件（Ｄｕｖ−５〜Ｄｕｖ＋５）のトータル３５条件の光色が表示されている。例えば、ユーザは、色温度が４０００Ｋ、且つ、色偏差がＤｕｖ＋３というシミュレーションの条件を選択する。対話部１２は、当該選択をシミュレーションの条件の指示として取得する。シミュレーション部１３は、ユーザに選択された当該色温度及び当該色偏差の照明光が照明空間全体に一様に照射された場合の照明空間のシミュレーションを行う。対話部１２は、当該シミュレーションの結果を示す照明空間画像１００を生成し、端末装置５に表示させる制御をする。
【００８６】
また、ユーザが光色選択部２３０を選択した場合に、比較表示選択部２３２が表示されてもよい。ユーザが、比較表示選択部２３２を選択した場合については後述する。
【００８７】
なお、照明光は、照明空間画像内に表示される照明装置（光源）から選択されてもよい。言い換えると、当該照明装置が発する照明光の光色が変更できてもよい。つまり、シミュレーション部１３は、間接照明及び主照明３００が照らされた照明空間の色合いのシミュレーションを行う。
【００８８】
例えば、図８において、ユーザは照明装置３１５を選択する。次に、対話部１２は、照明装置（光源）３１５が発する主照明３００の光色をユーザに選択させる画像を生成して、端末装置５に表示させる制御を行う（不図示）。ユーザは、端末装置５に表示された当該画像から光色を選択する。シミュレーション部１３は、当該ユーザに選択された光色に応じた照明空間のシミュレーションを行う。対話部１２は、当該シミュレーションの結果に応じた照明空間画像を生成して、端末装置５に表示させる制御をする。これにより、ユーザは、照明空間を照らす照明光の照明方法（主照明３００又は間接照明３１０）による照明空間の見え方の違いも確認することができる。
【００８９】
なお、対話部１２は、間接照明３１０又は主照明３００を発する照明装置ごとに照明光の色温度及び色偏差（調色）、照明光の強度（調光）、照明光の向き（配光）などの指示をユーザから取得してもよい。その場合、シミュレーション部１３が当該指示に従ってシミュレーションを行うこととしてもよい。
【００９０】
図９は、実施の形態に係る照明空間シミュレーション装置１が生成する２分割表示された照明空間画像の一具体例を示す図である。具体的には、図９は、ユーザが比較表示選択部２３２又は表示モード選択部２４０を選択した場合に対話部１２が生成する画像である。
【００９１】
図９に示すように、表示画像４０４には、ユーザが比較表示選択部２３２又は表示モード選択部２４０を選択した場合、光色選択画像２３１とは別に光色選択画像２３１ａが照明空間画像１００ａ上に重畳表示される。また、照明空間画像１００ａには、仕切り線２３５と操作部２３６とが新たに生成される。図９に示す照明空間画像１００ａは、仕切り線２３５の左右で、第一照明空間画像１１０と第二照明空間画像１２０とに分離されて表示される。
【００９２】
第一照明空間画像１１０は、光色選択画像２３１でユーザが選択した色温度及び色偏差の照明光が照射された照明空間のシミュレーションの結果を示す画像である。第二照明空間画像１２０は、光色選択画像２３１ａでユーザが選択した色温度及び色偏差の照明光が照射された照明空間のシミュレーション結果を示す画像である。つまり、第一照明空間画像１１０及び第二照明空間画像１２０は、同一の照明空間を示す照明空間画像において仕切り線２３５を境に異なる色温度及び色偏差の照明光が照射された場合の照明空間のシミュレーションの結果を示す画像である。また、ユーザは、操作部２３６を左右に操作することで、仕切り線２３５の位置を変更することができる。こうすることで、ユーザは、照明空間画像１００ａとして一つの大きな照明空間画像を表示したまま、第一照明空間画像１１０と第二照明空間画像１２０とが表示される表示範囲を変更できる。
【００９３】
なお、図９においては、仕切り線２３５は図９の縦方向に照明空間画像１００ａを分けているが、限定されない。仕切り線２３５は、照明空間画像１００ａを横方向に分けてもよいし、斜め方向に分けてもよい。また、仕切り線２３５は、照明空間画像１００ａに複数設けられてもよい。
【００９４】
また、第一照明空間画像１１０と第二照明空間画像１２０とは、１つの照明空間画像を完全に分割して表示しなくてもよい。具体的には、第一照明空間画像１１０と第二照明空間画像とに用いられる図４に示す照明空間２１２〜２１６は異なっていてもよい。
【００９５】
また、複数のシミュレーション条件を示す照明空間画像を表示する方法は、上述した仕切り線２３５を用いた画像の分割方法には限定されない。次に、複数のシミュレーション条件を示す画像の別の表示方法について説明する。
【００９６】
図１０は、実施の形態に係る照明空間シミュレーション装置１が生成する２つの照明空間画像の比較表示の一具体例を示す図である。具体的には、図１０は、ユーザが表示モード選択部２４０を選択した場合に対話部１２が生成する画像である。
【００９７】
図１０に示すように、表示画像４０５には、ユーザが表示モード選択部２４０を選択した場合、第一照明空間画像１１０ａ及び第二照明空間画像１２０ａが表示される。具体的には、第一照明空間画像１１０ａ及び第二照明空間画像１２０ａは、同一の照明空間を異なる色温度及び色偏差の照明光で照射した場合の照明空間のシミュレーションの結果を示す画像である。ユーザは、比較画像選択部２５０を選択することで、第一照明空間画像１１０ａ又は第二照明空間画像１２０ａに照射される照明光の色温度及び色偏差又は照明空間を変更する。これにより、ユーザは、複数のシミュレーション条件を比較して確認しやすい。
【００９８】
なお、図１０においては、第一照明空間画像１１０ａと第二照明空間画像１２０ａとは、図の左右横並びに表示されているが、限定されない。第一照明空間画像１１０ａと第二照明空間画像１２０ａとは、図の上下縦並びに表示されてもよい。また、図１０においては、比較する画像は、第一照明空間画像１１０ａと第二照明空間画像１２０ａとの二つであるが、限定されない。比較する画像は、同時に３つ以上が表示されてもよい。
【００９９】
また、図９に示す光色選択画像２３１ａに比較画像選択部を設けて、ユーザが当該比較画像選択部を選択することにより、複数のシミュレーション条件を示す画像の表示方法が変更されてもよい。
【０１００】
図１１は、実施の形態に係る照明空間シミュレーション装置１が生成する画像保存選択画像の一具体例を示す図である。具体的には、図１１は、ユーザが画像保存選択部２６０を選択した場合に対話部１２が生成する画像である。
【０１０１】
図１１に示すように、表示画像４０６には、ユーザが画像保存選択部２６０を選択した場合、画像保存選択画像２６１が照明空間画像１００ａ（図１１においては、第二照明空間画像１２０）上に重畳表示される。画像保存選択画像２６１には、現在表示されている照明空間画像（第一照明空間画像１１０及び第二照明空間画像１２０）のシミュレーションの条件が表示される。例えば、第一照明空間画像１１０及び第二照明空間画像１２０のように２つの画像が表示されている場合、画像保存選択画像２６１には、第一照明空間画像１１０及び第二照明空間画像１２０のシミュレーションの条件が表示される。ユーザは、画像保存選択画像２６１に表示された保存したいシミュレーションの条件を選択する。対話部１２は、ユーザに選択されたシミュレーションの条件を記憶部１４に記憶させる。ユーザは、例えば、後日改めて記憶させたシミュレーションの条件でシミュレーションされた照明空間画像を確認したい場合に、画像保存選択部２６０を選択する。対話部１２は、画像保存選択画像２６１に、現在表示されている照明空間画像のシミュレーションの条件とは別に、記憶部１４に記憶された照明空間画像のシミュレーションの条件が表示された画像を生成し、端末装置５に当該画像を表示させる制御をする。ユーザが画像保存選択画像２６１に表示されている、記憶部１４に記憶させた照明空間画像のシミュレーションの条件を示す画像（不図示）を選択した場合に、対話部１２は当該シミュレーションの条件を示す照明空間画像を表示させる制御をする。これにより、ユーザは一度設定したシミュレーション条件を再度設定することなく、簡便に当該シミュレーション条件の結果を示す画像を確認できる。
【０１０２】
なお、対話部１２は、記憶部１４には、シミュレーションの条件のみを記憶させてもよいし、当該シミュレーションの条件の結果を示す照明空間画像を示すデータを記憶させてもよく、限定されない。
【０１０３】
また、現在表示されている、又は、上述したようにユーザが画像保存選択部２６０を選択して保存した照明空間画像及びシミュレーション条件を、現在ユーザが操作している端末装置以外の端末装置にユーザが送信指示をできるようにしてもよい。例えば、シミュレーション条件選択部２００にデータ転送部（不図示）を設ける。ユーザは、当該データ転送部を選択し、送信したい端末装置のアドレス（例えば、メールアドレスなど）を指定する。こうすることで、照明空間シミュレーション装置が、ユーザが指示したアドレスへ、現在表示されている、又は、保存された照明空間画像及びシミュレーション条件を送信してもよい。
【０１０４】
また、照明空間シミュレーション装置１は、さらに、照明空間画像１００の一部を拡大して表示させるズーム機能を有する。具体的には、対話部１２は、ユーザに指示された照明空間画像１００の一部を拡大したズーム画像を生成して端末装置５に表示させる制御をする。
【０１０５】
図１２は、実施の形態に係る照明空間シミュレーション装置１が生成するズーム画像の一具体例を示す図である。図１２において、シミュレーション条件選択部２００ａは、さらに、ズーム選択部２８０を有する。
【０１０６】
ユーザは、照明空間画像の一部を拡大して表示するズーム機能を利用したい場合には、ズーム選択部２８０を選択する。対話部１２は、ユーザがズーム選択部２８０を選択した場合、ズーム画像１３０とズーム範囲２８１を示す画像を照明空間画像１００上に重畳表示させる。ズーム画像１３０は、ズーム範囲２８１に対応した画像である。ユーザは、ズーム範囲２８１を操作して、照明空間画像１００上のズーム範囲２８１の位置及び範囲を指示する。対話部１２は、指示された照明空間画像１００上のズーム範囲２８１の位置及び範囲に応じてズーム画像１３０を生成する。これにより、ユーザは、照明空間画像１００の一部を拡大したズーム画像１３０を確認できる。
【０１０７】
なお、図１２においては、照明空間シミュレーション装置１は、ズーム画像１３０を照明空間画像１００に重畳表示させたが、これに限らない。照明空間シミュレーション装置１は、ズーム画像１３０を照明空間画像１００と置き換えて表示してもよい。言い換えると、照明空間画像１００が、照明空間画像１００の一部を拡大して表示された画像でもよい。
【０１０８】
ここで、照明空間シミュレーション装置１で利用される照明空間を示すデータは、二次元画像を示すデータだけではなく、三次元空間を示すデータも含まれる。三次元空間を示す画像においては、ユーザは様々な角度から照明空間を確認することができる。対話部１２は、ユーザから三次元空間内の視点及び視線方向が指示された場合に、指示された視点から視線方向を見た場合の画像である視点位置画像を生成して表示させる制御をする視点変更機能を有する。
【０１０９】
図１３は、実施の形態に係る照明空間シミュレーション装置１が生成する視点位置画像の一具体例を示す図である。図１３において、表示画像４０８に表示されるシミュレーション条件選択部２００ｂは、さらに、視点変更選択部２９０を有する。
【０１１０】
ユーザは、視点変更機能を利用したい場合には、視点変更選択部２９０を選択する。対話部１２は、視点Ｖと、視野範囲Ｌと、視点変更画像２９１とを示す画像を照明空間画像１００上に重畳表示させる。視点変更画像２９１は、視野範囲Ｌに対応した範囲の画像である。ユーザは、視点Ｖと視野範囲Ｌとを操作して、照明空間画像１００上の視野範囲Ｌの位置及び範囲を指示する。対話部１２は、当該指示された照明空間画像１００上の視点Ｖと視野範囲Ｌとの位置及び範囲に応じて視点変更画像２９１を生成する。これにより、ユーザは、照明空間を違う角度から見た場合の画像である視点変更画像２９１を確認できる。
【０１１１】
（まとめ）
以上、上述したように、本実施の形態に係る照明空間シミュレーション装置１は、照明光によって照らされる空間である照明空間の色合いをシミュレーションする装置である。照明空間シミュレーション装置１は、照明光及び照明空間の少なくとも一つを特定する指示を取得する対話部１２と、対話部１２によって取得された指示に従って照明光による照明空間の色合いをシミュレーションするシミュレーション部１３とを備える。対話部１２は、照明光の色温度及び色偏差の指示を取得する。シミュレーション部１３は、対話部１２によって取得された色温度及び色偏差の照明光が照らされた場合の照明空間の色合いをシミュレーションによって算出する。対話部１２は、さらに、シミュレーション部１３によって算出された色合いをもつ照明空間を表示する制御をする。
【０１１２】
これにより、照明空間シミュレーション装置１は、ユーザが操作する照明空間シミュレーション装置１の表示部１６又は端末装置５、６に、当該シミュレーションの結果を示す照明空間画像を表示させる。ユーザは、当該照明空間画像を確認することで、シミュレーションに利用された色温度及び色偏差の照明光を発する照明装置を実際に使用することなく、当該照明光が照射された照明空間の色合いを確認できる。そのため、ユーザは、照明空間画像を確認するだけで、所望の色温度及び色偏差の照明光を発する照明装置を選択できる。つまり、照明空間シミュレーション装置１は、簡便にユーザの嗜好に適した照明装置を提案できる。
【０１１３】
また、照明空間シミュレーション装置１は、さらに、複数の種類の照明空間を特定する照明空間情報１５を記憶する記憶部１４を備えてもよい。対話部１２は、記憶部１４に記憶された照明空間情報１５が示す複数の種類の照明空間を表示する制御をし、複数の種類の照明空間から一つの照明空間を選択する指示を取得してもよい。シミュレーション部１３は、対話部１２が取得した指示に従って、複数の種類の照明空間から選択された一つの照明空間についてシミュレーションを行ってもよい。
【０１１４】
これにより、ユーザは、複数の種類の照明空間から所望の照明空間による色温度及び色偏差を有する照明光が照射された場合の照明空間のシミュレーション結果を確認できる。そのため、ユーザは、ユーザの所望の条件に近い状態の照明空間のシミュレーションの結果を確認できる。
【０１１５】
また、対話部１２は、シミュレーション部１３によって算出された色合いをもつ照明空間の表示における一部の上に、選択の対象となる複数の種類の照明空間の表示を重ねる重畳表示の制御をしてもよい。また、対話部１２は、複数の種類の照明空間から一つの照明空間を選択する指示を取得した場合には、選択された照明空間についてシミュレーション部１３によって得られる色合いを反映した重畳表示の制御をしてもよい。
【０１１６】
これにより、ユーザは、当該シミュレーションの結果を示す照明空間画像の一部を確認しながら、シミュレーションの条件を変更できる。そのため、ユーザは、所望のシミュレーションの条件を選択しやすい。
【０１１７】
また、対話部１２は、照明光の色温度及び色偏差について、２組の指示を取得してもよい。この場合、シミュレーション部１３は、対話部１２によって取得された当該２組の色温度及び色偏差の照明光のそれぞれについて、同一の照明空間に対して色合いをシミュレーションによって算出してもよい。また、対話部１２は、シミュレーション部１３によって算出された色合いをもつ照明空間について、仕切り線２３５を用いて分離してもよい。また、対話部１２は、分離される２つの空間の一方を２組のうちの一方の色温度及び色偏差の照明光に対応して得られた色合いで表示し、かつ、２つの空間の他方を２組のうちの他方の色温度及び色偏差の照明光に対応して得られた色合いで表示してもよい。つまり、対話部１２は、仕切り線２３５を用いた分割表示の制御をしてもよい。
【０１１８】
これにより、ユーザは、２組の色温度及び色偏差の照明光のそれぞれについて、同一の照明空間に対して色合いの異なるシミュレーションの結果を示す照明空間画像を同時に確認できる。そのため、ユーザは、複数のシミュレーションの結果を比較しやすい。
【０１１９】
また、対話部１２は、仕切り線２３５の位置を移動させる指示を取得した場合には、取得した指示に従って仕切り線２３５の位置を移動させながら、２分割表示の制御をしてもよい。
【０１２０】
これにより、ユーザは、複数のシミュレーション条件が表示された照明空間画像の所望の位置における照明空間画像のシミュレーションの結果を確認できる。そのため、ユーザは、複数のシミュレーションの結果を比較しやすい。
【０１２１】
また、仕切り線２３５を用いて分離される２つの空間は、照明空間を２分割して得られる２つの空間うちの一方及び他方でもよい。つまり、仕切り線２３５により２分割されて表示される照明空間画像は、１つの照明空間画像でもよい。
【０１２２】
これにより、ユーザは、１つの照明空間に関して異なる光色の照明光が照射された場合の照明空間のシミュレーションの結果を比較しやすい。
【０１２３】
また、対話部１２は、さらに、ズームに関する指示を取得した場合には、取得した指示に従って照明空間をズームして表示する制御をしてもよい。
【０１２４】
これにより、ユーザは、照明空間画像の一部を拡大したズーム画像１３０を確認できる。そのため、ユーザは、照明空間画像の詳細を確認しやすい。
【０１２５】
また、対話部１２は、照明空間に存在する物品Ａの色の指示を取得し、シミュレーション部１３は、対話部１２によって取得された物品Ａの色の指示を反映してシミュレーションを行ってもよい。つまり、ユーザは、照明空間画像に表示された物品Ａ、例えば、自動車などの配色を変更できる。
【０１２６】
これにより、ユーザは、ユーザの所望の条件に近い照明空間におけるシミュレーションの結果を確認できる。
【０１２７】
また、対話部１２は、照明光の調光及び調色に関する指示を取得し、シミュレーション部１３は、対話部１２によって取得された指示が示す調光及び調色の照明光が照らされた場合の照明空間の色合いをシミュレーションによって算出する。
【０１２８】
これにより、ユーザは、より詳細に色温度及び色偏差を変更できる。また、ユーザは、照明光の光強度（光量）を変更できるので、照明空間全体の明るさも調整できる。そのため、ユーザは、ユーザの嗜好に適した詳細なシミュレーションの結果を確認できる。
【０１２９】
また、対話部１２は、複数の照明光を特定する指示を取得し、シミュレーション部１３は、対話部によって取得された指示が示す複数の照明光が照らされた場合の照明空間の色合いをシミュレーションによって算出してもよい。
【０１３０】
これにより、ユーザが、照明空間を複数の照明光で照射したい場合に、そのシミュレーションの結果を確認できる。そのため、ユーザは、ユーザの嗜好に適した詳細なシミュレーション結果を確認できる。
【０１３１】
また、複数の照明光には、光源からの光を天井Ｃ及び壁Ｗを含む構造物３２０に当てて得られる反射光による間接照明３１０における照明光、及び、光源の光によって直接、照明空間を照らす主照明３００における照明光が含まれてもよい。
【０１３２】
これにより、ユーザは、照明空間の内装の違いによる照明空間の違いも確認することができる。また、ユーザは、間接照明３１０及び主照明３００を発する照明装置（光源）ごとに、その照明光の光色、光強度、配光等の詳細を設定できる。そのため、ユーザは、ユーザの嗜好に適した詳細なシミュレーションの結果を確認できる。
【０１３３】
また、対話部１２は、さらに、照明空間における視点Ｖの位置を特定する指示を取得してもよい。シミュレーション部１３は、対話部１２によって取得された指示が示す視点Ｖの位置から見た場合の照明空間の色合いをシミュレーションによって算出してもよい。
【０１３４】
これにより、ユーザは、照明空間画像として表示されている画像とは異なる角度から照明空間を見た場合の画像である視点変更画像２９１を確認できる。そのため、ユーザは、シミュレーションの結果の詳細を確認しやすい。
【０１３５】
また、実施の形態に係る照明空間シミュレーション方法は、照明空間シミュレーション装置１を構成する処理部をステップとする照明空間シミュレーション方法として実現されてもよい。つまり、照明空間シミュレーション方法は、照明光及び照明空間の少なくとも一つを特定する指示を取得する対話ステップと、当該対話ステップで取得された指示に従って照明光による照明空間の色合いをシミュレーションするシミュレーションステップとを含む。また、対話ステップでは、照明光の色温度及び色偏差の指示を取得する。また、シミュレーションステップでは、対話ステップで取得された色温度及び色偏差の照明光が照らされた場合の照明空間の色合いをシミュレーションによって算出する。さらに、対話ステップでは、シミュレーションステップで算出された色合いをもつ照明空間を表示する制御をする。
【０１３６】
これにより、照明空間シミュレーション方法は、簡便にユーザの嗜好に適した照明装置を提案できる。
【０１３７】
また、実施の形態に係る照明空間シミュレーション方法は、上述したステップをコンピュータに実行させるプログラムとして実現されてもよい。また、当該プログラムは、当該プログラムを記録したコンピュータによって読み取り可能なＣＤ−ＲＯＭなどの記録媒体として実現されてもよい。また、本開示は、そのプログラムを示す情報、データ又は信号として実現されてもよい。そして、それらプログラム、情報、データ及び信号は、インターネット等の通信ネットワークを介して配信されてもよい。
【０１３８】
これにより、照明空間シミュレーション方法は、簡便にユーザの嗜好に適した照明装置を提案できるプログラムとしてコンピュータが実行できる。
【０１３９】
以上、実施の形態に係る照明空間シミュレーション装置及び照明空間シミュレーション方法について説明したが、本開示は、上記実施の形態に限定されるものではない。
【０１４０】
その他、各実施の形態に対して当業者が思いつく各種変形を施して得られる形態、または、本開示の趣旨を逸脱しない範囲で各実施の形態における構成要素及び機能を任意に組み合わせることで実現される形態も本開示に含まれる。
【符号の説明】
【０１４１】
１  照明空間シミュレーション装置
１２  対話部
１３  シミュレーション部
１４  記憶部
１５  照明空間情報
２１２〜２１６  照明空間
２３５  仕切り線
３００  主照明
３１０  間接照明
３１５  照明装置（光源）
３２０  構造物
Ｖ  視点
Ｃ  天井
Ｗ  壁
Ａ  物品
【図１】
2018036803.tif 000003
【図２】
2018036803.tif 000004
【図３】
2018036803.tif 000005
【図４】
2018036803.tif 000006
【図５】
2018036803.tif 000007
【図６】
2018036803.tif 000008
【図７】
2018036803.tif 000009
【図８】
2018036803.tif 000010
【図９】
2018036803.tif 000011
【図１０】
2018036803.tif 000012
【図１１】
2018036803.tif 000013
【図１２】
2018036803.tif 000014
【図１３】
2018036803.tif 000015